【手続補正書】
【提出日】平成29年8月15日(2017.8.15)
【手続補正１】
【補正対象書類名】特許請求の範囲
【補正対象項目名】全文
【補正方法】変更
【補正の内容】
【特許請求の範囲】
【請求項１】
表示パネルと、
前記表示パネルの表示領域の周縁の周縁領域を背面側から支持する枠状のパネルホルダと、
第１の方向に沿って前記パネルホルダの前面側に配置される第１弾性体と、
前記第１の方向に垂直な第２の方向に沿って前記パネルホルダの前面側に配置される第２弾性体と、
を備え、
前記第１弾性体の一部と前記第２弾性体の一部とが重なるように、前記第１弾性体と前記第２弾性体とが配置されることを特徴とする表示装置。
【請求項２】
前記第１弾性体と前記第２弾性体とが重なる領域において、前記第１弾性体が前記パネルホルダに接し、前記第２弾性体が前記表示パネルに接するように、前記第１弾性体と前記第２弾性体とが配置されることを特徴とする請求項１に記載の表示装置。
【請求項３】
前記第１弾性体と前記第２弾性体とは交差するよう配置されることを特徴とする請求項１または請求項２に記載の表示装置。
【請求項４】
前記第１弾性体と前記第２弾性体とが重なる領域において、前記第１弾性体と前記第２弾性体とに内側から近接する位置又は外側から近接する位置に配置される第３弾性体を更に有することを特徴とする請求項１乃至請求項３のいずれか１項に記載の表示装置。
【請求項５】
前記第３弾性体は、前記第１弾性体に近接する面と、前記第２弾性体に近接する面と、を有する直方体又は立方体の形状の弾性体であることを特徴とする請求項４に記載の表示装置。
【請求項６】
前記第３弾性体は、前記第１弾性体と前記第２弾性体との重なる領域の外側を囲むように配置されるＬ字の形状の弾性体であることを特徴とする請求項４に記載の表示装置。
【請求項７】
前記表示パネルの前記周縁領域を前面側から支持する枠状のフレームと、
前記第１の方向に沿って前記フレームの背面側に配置される第４弾性体と、
前記第２の方向に沿って前記フレームの背面側に配置される第５弾性体と、
を更に備え、
前記第４弾性体の一部と前記第５弾性体の一部とが重なることを特徴とする請求項１乃至請求項６のいずれか１項に記載の表示装置。
【請求項８】
前記第４弾性体と前記第５弾性体とが重なる領域において、前記第４弾性体が前記表示パネルに接し、前記第５弾性体が前記フレームに接するように、前記第４弾性体と前記第５弾性体とが配置されることを特徴とする請求項７に記載の表示装置。
【請求項９】
前記第４弾性体と前記第５弾性体とは交差するよう配置されることを特徴とする請求項７または請求項８に記載の表示装置。
【請求項１０】
前記第４弾性体と前記第５弾性体とが重なる領域において、前記第４弾性体と前記第５弾性体とに内側から近接する位置又は外側から近接する位置に配置される第６弾性体を更に有することを特徴とする請求項７乃至請求項９のいずれか１項に記載の表示装置。
【請求項１１】
前記パネルホルダは、
前記第１の方向に延伸する第１面と、
前記第１面と接続し、前記第２の方向に延伸する第２面と、
を備え、
前記第１弾性体は、前記第１面に沿って配置され、
前記第２弾性体は、前記第２面に沿って配置され、
前記第１面と前記第２面とが接続する領域において、前記第１弾性体の一部と前記第２弾性体の一部とが重なることを特徴とする請求項１乃至請求項１０のいずれか１項に記載の表示装置。
【請求項１２】
前記第１弾性体は、直方体形状の弾性部材であり、
前記第２弾性体は、直方体形状の弾性部材であり、
前記第１弾性体の端側の一部と、前記第２弾性体の端側の一部とが重なるように、前記第１弾性体および前記第２弾性体が設けられることを特徴とする請求項１乃至請求項１１のいずれか１項に記載の表示装置。
【請求項１３】
前記パネルホルダの背面側に配置され、光源を備える光源基板と、
前記パネルホルダの背面側を支持し、前記光源基板を収容する筐体と、
を更に備えることを特徴とする請求項１乃至請求項１２のいずれか１項に記載の表示装置。
【請求項１４】
光を発する光源を備える光源基板と、
前記光源基板を収容する筐体と、
前記筐体の前面側に設けられた枠状のパネルホルダと、
前記パネルホルダの前面側に設けられ、前記光源から発せられた光を透過して表示領域に画像を表示する表示パネルと、
前記パネルホルダの前面側に設けられ、前記表示パネルの前記表示領域の周縁の周縁領域を背面側から支持するための複数の背面弾性体と、
を備え、
前記複数の背面弾性体のうち少なくとも１つの背面弾性体は、当該背面弾性体と隣接する他の背面弾性体と交差して配置されることを特徴とする表示装置。
【請求項１５】
前記複数の背面弾性体は、前記パネルホルダの隅に対応する領域で、交差するように配置されることを特徴とする請求項１４に記載の表示装置。
【請求項１６】
前記表示パネルの前面側に設けられ、前記表示パネルの前記周縁領域を覆う枠状のフレームと、
前記フレームの背面側に設けられ、前記表示パネルの前記周縁領域を前面側から支持するための複数の前面弾性体と、
を更に備え、
前記複数の前面弾性体のうち少なくとも１つの前面弾性体は、当該前面弾性体と隣接する他の前面弾性体と交差して配置されることを特徴とする請求項１４または請求項１５に記載の表示装置。
【手続補正２】
【補正対象書類名】明細書
【補正対象項目名】００１３
【補正方法】変更
【補正の内容】
【００１３】
本発明の第１の態様は、
表示パネルと、
前記表示パネルの表示領域の周縁の周縁領域を背面側から支持する枠状のパネルホルダと、
第１の方向に沿って前記パネルホルダの前面側に配置される第１弾性体と、
前記第１の方向に垂直な第２の方向に沿って前記パネルホルダの前面側に配置される第２弾性体と、
を備え、
前記第１弾性体の一部と前記第２弾性体の一部とが重なるように、前記第１弾性体と前記第２弾性体とが配置されることを特徴とする表示装置である。
本発明の第２の態様は、
光を発する光源を備える光源基板と、
前記光源基板を収容する筐体と、
前記筐体の前面側に設けられた枠状のパネルホルダと、
前記パネルホルダの前面側に設けられ、前記光源から発せられた光を透過して表示領域に画像を表示する表示パネルと、
前記パネルホルダの前面側に設けられ、前記表示パネルの前記表示領域の周縁の周縁領域を背面側から支持するための複数の背面弾性体と、
を備え、
前記複数の背面弾性体うち１つの背面弾性体は、当該背面弾性体と隣接する他の背面弾性体と交差して配置されることを特徴とする表示装置である。
【手続補正３】
【補正対象書類名】明細書
【補正対象項目名】００２９
【補正方法】変更
【補正の内容】
【００２９】
弾性体の重なり合う部分３５について詳細に説明する。
ＣＣ断面ではパネルホルダ短辺弾性体３３がパネルホルダ長辺弾性体３４を押さえるように貼り付けられる。そのため、パネルホルダ短辺弾性体３３に押し込まれて、パネルホルダ長辺弾性体３４に三角形状の間隙３７が生じる。本実施例では、弾性体の間隙３７の断面積は０．０１ｍｍ２であった。
ＤＤ断面では、パネルホルダ長辺弾性体３４をまたぐようにパネルホルダ短辺弾性体３３が配置され、間隙は生じない。
【手続補正４】
【補正対象書類名】明細書
【補正対象項目名】００４０
【補正方法】変更
【補正の内容】
【００４０】
図７は実施例３を説明する図であり、パネルホルダ３０の右下角部の構成を示す拡大図である。図８は液晶パネル２０を組み込んだ際の塵埃の侵入経路を示す図である。
実施例３のパネルホルダ３０の構成とパネルホルダ３０の弾性体の構成は実施例１と同じであるため、詳細な説明は省略する。
【手続補正５】
【補正対象書類名】明細書
【補正対象項目名】００４５
【補正方法】変更
【補正の内容】
【００４５】
実施例４は、パネルホルダ３０の構成とパネルホルダ３０の弾性体の構成は実施例１及び実施例３と同じであるため、詳細な説明は省略する。
【手続補正６】
【補正対象書類名】明細書
【補正対象項目名】００５２
【補正方法】変更
【補正の内容】
【００５２】
図１３では、コーナー弾性体３９Ａ（第７の弾性体）とコーナー弾性体３９Ｂ（第８の弾性体）とが重なる部位において、パネルホルダ側の前面側に第７の弾性体があり、液晶パネルの背面側に第８の弾性体がある例を示したが、配置は逆でも良い。すなわち、重なる部位において、パネルホルダ側の前面側に第８の弾性体があり、液晶パネルの背面側に第７の弾性体があっても良い。
また、コーナー弾性体３９Ａ（第７の弾性体）とパネルホルダ短辺弾性体３３（第２の弾性体）とが重なる部位において、パネルホルダ側の前面側に第２の弾性体があり、液晶パネルの背面側に第７の弾性体がある例を示したが、配置は逆でも良い。すなわち、重なる部位において、パネルホルダ側の前面側に第７の弾性体があり、液晶パネルの背面側に第２の弾性体があっても良い。
また、コーナー弾性体３９Ｂ（第８の弾性体）とパネルホルダ長辺弾性体３４（第１の弾性体）とが重なる部位において、パネルホルダ側の前面側に第１の弾性体があり、液晶パネルの背面側に第８の弾性体がある例を示したが、配置は逆でも良い。すなわち、重なる部位において、パネルホルダ側の前面側に第８の弾性体があり、液晶パネルの背面側に第１の弾性体があっても良い。
また、実施例５で示したコーナー弾性体３９Ａとコーナー弾性体３９Ｂに相当する弾性体がフレームと液晶パネルとの間に配置される長辺フレーム弾性体１２と短辺フレーム弾性体１１との重なる部位に配置されていても良い。